(57)【要約】【課題】パーソナルコンピュータの使用中において、必要なときに簡単に身だしなみを確認することができ、しかも外観を損なうことがない鏡付きパーソナルコンピュータを提供することである。【解決手段】パーソナルコンピュータ本体１１の側面にケース１３が取り付けられ、このケース１３の開口から鏡部材１２をスライド自在に引き出すためのガイドレール１４がケース１３内に設けられており、このガイドレール１４は、鏡部材１２をケース１３から引き出した状態で鏡部材１２の後端部を回動自在に保持している鏡付きパーソナルコンピュータである。【選択図】　　図２
2004121494.tif 000002
【特許請求の範囲】
【請求項１】
パーソナルコンピュータ本体の側面または上面に鏡部材保持具が取り付けられ、この鏡部材保持具は鏡部材の端部を回動自在に保持していることを特徴とする鏡付きパーソナルコンピュータ。
【請求項２】
パーソナルコンピュータ用ディスプレーの側面、上面または背面に鏡部材保持具が取り付けられ、この鏡部材保持具は鏡部材の端部を回動自在に保持していることを特徴とする鏡付きパーソナルコンピュータ。
【請求項３】
前記鏡部材保持具は、前記鏡部材を収納可能なケースであり、このケース内にはケースの開口から鏡部材をスライド自在に引き出すためのガイドレールが設けられており、このガイドレールは、前記鏡部材をケースから引き出した状態で鏡部材の後端部を回動自在に保持することができる請求項１または２記載の鏡付きパーソナルコンピュータ。
【請求項４】
パーソナルコンピュータ用ディスプレーの背面に鏡部材を収納したケースが取り付けられ、このケース内にはケースの開口から鏡部材をスライド自在に引き出すためのガイドレールが設けられていることを特徴とする鏡付きパーソナルコンピュータ。
【請求項５】
前記鏡部材が、折りたたみ自在の２面鏡または３面鏡である請求項１〜４のいずれかに記載の鏡付きパーソナルコンピュータ。
【請求項６】
ガイドレールが設けられたケース内に収納され、前記ガイドレールに沿ってスライド自在に引き出し可能であることを特徴とする、パーソナルコンピュータ本体またはパーソナルコンピュータ用ディスプレーに取り付けるための鏡部材。
【発明の詳細な説明】
【０００１】
【発明の属する技術分野】
本発明は、パーソナルコンピュータ本体またはディスプレーに鏡を備えた鏡付きパーソナルコンピュータ、および鏡部材に関する。
【従来の技術】
【０００２】
近年、パーソナルコンピュータは仕事や娯楽などの日常生活に欠かせないものとなっており、長時間連続して使用されることも珍しくない。このような長時間の作業中には髪型などの身だしなみを確認したくなることがある。
【０００３】
しかしながら、従来は、上記のような場合、常に手鏡を携帯しておき、これを取り出して確認するか、あるいは鏡のあるところまで移動して確認する必要があった。また、パーソナルコンピュータ本体やディスプレーに手鏡などの鏡を単に貼り付けるだけでは外観を損ない、かつ場所をとるという問題がある。
【０００４】
【発明が解決しようとする課題】
本発明の主たる目的は、パーソナルコンピュータの使用中において、必要なときに簡単に身だしなみを確認することができ、しかも外観を損なったり、場所をとることがない鏡付きパーソナルコンピュータを提供することである。
本発明の他の目的は、パーソナルコンピュータなどに取り付けて使用するための鏡部材を提供することである。
【０００５】
【課題を解決するための手段】
本発明にかかる鏡付きパーソナルコンピュータは、パーソナルコンピュータ本体の側面または上面に鏡部材保持具が取り付けられ、この鏡部材保持具は鏡部材の端部を回動自在に保持していることを特徴とする。
【０００６】
本発明にかかる他の鏡付きパーソナルコンピュータは、パーソナルコンピュータ用ディスプレーの側面、上面または背面に鏡部材保持具が取り付けられ、この鏡部材保持具は鏡部材の端部を回動自在に保持していることを特徴とする。
【０００７】
このように、本発明の鏡付きパーソナルコンピュータでは、パーソナルコンピュータ本体の側面若しくは上面、またはディスプレーの側面、上面若しくは背面に鏡部材が鏡部材保持具により回動自在に保持されているので、鏡が必要なときには、パーソナルコンピュータ本体の側面などから鏡部材を立ち上げ、この鏡部材をさらに回動させて鏡面を所望の向きに調節すればよい。これにより、手鏡などを常時携帯しておいたり、鏡のあるところまで移動する必要がなく、簡単に身だしなみを確認することができる。また、使用後は鏡部材をパーソナルコンピュータ本体の側面などに倒しておくことにより、嵩張ることがなく、パーソナルコンピュータの外観を損なうこともない。
【０００８】
本発明において、前記鏡部材保持具は、前記鏡部材を収納可能なケースであり、このケース内にはケースの開口から鏡部材をスライド自在に引き出すためのガイドレールが設けられており、このガイドレールは、前記鏡部材をケースから引き出した状態で鏡部材の後端部を回動自在に保持することができるものであってもよい。
【０００９】
このように、前記ケース内にはガイドレールが設けられており、鏡部材をケースからスムーズに引き出すことができるとともに、鏡部材をケースから引き出した状態で鏡部材の後端部を回動自在に保持できるので、簡単に身だしなみを確認することができる。しかも、使用後は鏡部材をこのケースに収納しておくことができるので、嵩張ることがなく、パーソナルコンピュータの外観を損なうこともない。
【００１０】
また、本発明において、パーソナルコンピュータ用ディスプレーの背面に鏡部材を収容したケースを取り付ける場合には、上記のように鏡部材が回動自在でなくても、少なくともスライド自在であればよい。すなわち、スライド自在であれば、ケースから鏡部材を引き出した状態では、鏡面が略正面方向を向いているので、身だしなみを確認することができる。このような本発明の鏡付きパーソナルコンピュータは、パーソナルコンピュータ用ディスプレーの背面に鏡部材を収納したケースが取り付けられ、このケース内にはケースの開口から鏡部材をスライド自在に引き出すためのガイドレールが設けられていることを特徴とする。
【００１１】
本発明の鏡付きパーソナルコンピュータでは、前記鏡部材が、折りたたみ自在の２面鏡または３面鏡であってもよい。これにより、１面の鏡では見えにくい顔の横側や後側でも容易に確認することができる。
【００１２】
本発明の鏡部材は、ガイドレールが設けられたケース内に収納され、前記ガイドレールに沿ってスライド自在に引き出し可能であることを特徴とし、パーソナルコンピュータ本体またはパーソナルコンピュータ用ディスプレーに取り付けるためのものである。
【００１３】
【発明の実施の形態】
＜パーソナルコンピュータ本体に鏡を取り付けた形態＞
図１および図２は本発明の一実施形態にかかる鏡付きパーソナルコンピュータを示すものであって、図１はパーソナルコンピュータ本体の側面に取り付けられたケースに鏡部材を収納した状態を、図２は前記ケースから鏡部材を引き出した状態をそれぞれ示す斜視図である。
【００１４】
図１および図２に示すように、この実施形態では、パーソナルコンピュータ本体１１の正面にＣＤ−ＲＯＭ記憶装置、フレキシブルディスク記憶装置２２および電源スイッチ２３が設けられており、側面にケース（鏡部材保持具）１３が取り付けられ、このケース１３の正面開口から鏡部材１２をスライド自在に引き出すための一対のガイドレール１４，１４がケース１３内の上下に平行に配置されている。
【００１５】
図３（ａ）は鏡部材１２をケース１３に収納した状態を示す側面図、（ｂ）はその平面図である。図４（ａ）は鏡部材１２をケース１３から引き出した状態を示す側面図、（ｂ）はその平面図である。図３および図４に示すように、ガイドレール１４は、細長い帯状部材をＵ字形に折り曲げて形成したものであり、このＵ字形の円弧部分１４ａがケース１３の正面開口から突出するように配置されている。鏡部材１２は、この鏡部材１２の後端部の上下に形成され、ガイドレール１４，１４内にそれぞれ挿入された２つの突起部１５，１５を備えている。このため、鏡部材１２はガイドレール１４，１４に沿ってスライド自在となり、ケース１３から自在に出し入れできるようになる。
【００１６】
ケース１３に鏡部材１２を収納した状態（図１および図３）では、突起部１５，１５がケース１３の奥に位置している。ケース１３から鏡部材１２を引き出した状態（図２および図４）では、後端部の突起部１５，１５が円弧部分１４ａ，１４ａに位置しているとともに、この円弧部分１４ａ，１４ａ近傍に設けられた挟幅部１４ｂ，１４ｂにより位置決めされる。このとき、鏡部材１２は円弧部分１４ａ，１４ａにおいて突起部１５，１５を回転中心として回動自在になる。これにより、鏡面を略正面方向など、任意の方向に向けることができる。突起部１５，１５は、回動時の円弧部分１４ａ，１４ａとの摩擦を少なくするために、円柱状に形成されているのがよい。
【００１７】
鏡部材１２は、３枚の鏡１２ａ，１２ｂ，１２ｃを折りたたみ自在に連結した３面鏡である。鏡１２ａと鏡１２ｂは蝶番１６により連結され、鏡１２ｂと鏡１２ｃは蝶番１７により連結されている。また、鏡部材１２の先端部には鏡部材１２をケース１３から引き出す際に指を引っ掛けるための窪み１２ｄが形成されている。
【００１８】
ケース１３をパーソナルコンピュータ本体１１の側面に取り付ける手段は、特に限定されず、例えば両面粘着テープやボルト・ナットなどを用いて取り付けることができる他、図５に示すような取付具１８を設けてもよい。この取付具１８は、一端がケース１３の上部に取り付けられたＬ字形で構成され、パーソナルコンピュータ本体１１の上面に載置され、他端の折曲片がパーソナルコンピュータ本体１１の反対側の側面に係止している。
【００１９】
なお、以上の実施形態では、ケース１３がパーソナルコンピュータ本体１１の向かって左側に取り付けられた場合について説明したが、パーソナルコンピュータ本体１１の設置状況に応じて、右側や上面に取り付けることもできる。また、鏡部材１２が３面鏡でなく、例えば１面鏡や２面鏡であってもよい。さらに、上記では、パーソナルコンピュータ本体を縦向きに立てた状態で使用する場合について説明したが、例えばパーソナルコンピュータ本体を横向きに載置して、この側面または上面に鏡部材が収納されたケースを取り付けることもできる。
【００２０】
以上の実施形態では、鏡部材保持具が鏡部材を収納可能なケースである場合について説明したが、本発明では鏡部材保持具は鏡部材をパーソナルコンピュータ本体の側面若しくは上面、またはディスプレーの側面、上面若しくは背面に取り付けることができ、鏡部材の端部を回動自在に保持できるものであれば特に限定されない。
【００２１】
図６（ａ）は、本発明の他の実施形態にかかる鏡付きパーソナルコンピュータを示すものであって、パーソナルコンピュータ本体の上面に取り付けられた鏡部材の未使用時の状態を示す斜視図であり、図６（ｂ）は鏡部材の使用時の状態を示す斜視図である。同図に示すように、この鏡付きパーソナルコンピュータは、パーソナルコンピュータ本体１１の上面に板状の鏡部材保持具５１を備え、この鏡部材保持具５１の端部を蝶番５３により鏡部材５２の端部と連結し、鏡部材５２を回動自在に保持したものである。鏡部材５２は、３枚の鏡５２ａ，５２ｂ，５２ｃを折りたたみ自在に連結した３面鏡である。鏡５２ａと鏡５２ｂは蝶番５４により連結され、鏡５２ｂと鏡５２ｃは蝶番５５により連結されている。
【００２２】
鏡部材保持具５１をパーソナルコンピュータ本体１１の上面に取り付ける手段としては、前記と同様に両面粘着テープやボルト・ナットなどを用いることができる。鏡を使用する際には、折り畳まれた鏡部材（図６（ａ））の一端を持ち上げて鏡部材５２を回動させて起立させ、ついで折り畳まれた鏡５２ａ，５２ｃをそれぞれ回動させて開ければよい（図６（ｂ））。
【００２３】
図７は、本発明の他の実施形態にかかる鏡付きパーソナルコンピュータを示す正面図であり、図８はその斜視図である。図７および図８に示すように、この鏡付きパーソナルコンピュータでは、パーソナルコンピュータ本体１１の上面に溝型の鏡部材保持具６１が着脱自在に嵌着され、この鏡部材保持具６１から鏡部材６２が立設されている。すなわち、鏡部材保持具６１の上面中央付近には、回転自在の小球６１ａを保持するための小球受け部６１ｂが設けられている。小球６１ａには軸６１ｃの一端が取り付けられており、この軸６１ｃの他端が鏡部材６２に取り付けられている。このようにして鏡部材６２は鏡部材保持具６１により水平方向および垂直方向に回動自在に保持されている。鏡部材６２は、３枚の鏡６２ａ，６２ｂ，６２ｃを折りたたみ自在に連結した３面鏡である。鏡６２ａと鏡６２ｂは蝶番６３により連結され、鏡６２ｂと鏡６２ｃは蝶番６４により連結されている。
【００２４】
＜ディスプレーに鏡を取り付けた形態＞
図９は、本発明の他の実施形態にかかる鏡付きパーソナルコンピュータを示すものであって、（ａ）は正面図であり、（ｂ）は平面図である。同図に示すように、この実施形態は、パーソナルコンピュータ用の液晶型ディスプレー３１と、鏡部材１２’と、ディスプレー３１の背面に取り付けられ、鏡部材１２’を収納可能なケース（鏡部材保持具）１３とを備えている。
【００２５】
鏡部材１２’は正面側に鏡面１２ｅが配置された１面鏡である。ディスプレー３１の下部には基台３２が設けられている。ケース１３内には、ガイドレール１４，１４が上下に平行に配置されている。また、このガイドレール１４，１４は、その円弧部分１４ａ，１４ａがケース１３の正面開口から突出するように配置されている。鏡部材１２’は、この鏡部材１２’の後端部の上下に突起部１５，１５を備えている。このため、鏡部材１２’はガイドレール１４，１４に沿ってスライド自在となり、ケース１３から自在に出し入れできる。また、ケース１３から鏡部材１２’を引き出した状態では、後端部の突起部１５，１５が円弧部分１４ａ，１４ａ近傍に設けられた挟幅部１４ｂ，１４ｂにより位置決めされる。このとき、鏡部材１２’は円弧部分１４ａ，１４ａにおいて突起部１５，１５を回転中心として回動自在になる。
【００２６】
なお、図９に示した実施形態のようにディスプレーの背面に鏡部材を収容したケースを取り付ける場合には、鏡部材が回動自在でなくても、少なくともスライド自在であればよい。
【００２７】
図１０は、本発明の他の実施形態にかかる鏡付きパーソナルコンピュータを示すものであって、（ａ）は正面図であり、（ｂ）は平面図である。同図に示すように、この実施形態は、パーソナルコンピュータ用のブラウン管型ディスプレー４１と、鏡部材１２’と、ディスプレー４１の側面に取り付けられ、鏡部材１２’を収納可能なケース１３とを備えている。鏡部材１２’およびケース１３は、図９で説明したものと同様のものである。したがって、鏡部材１２’はガイドレール１４，１４に沿ってスライド自在であり、ケース１３から自在に出し入れができる。また、ケースから鏡部材１２’を引き出した状態では、後端部の突起部１５，１５が挟幅部１４ｂ，１４ｂにより位置決めされる。このとき、鏡部材１２’は円弧部分１４ａ，１４ａにおいて突起部１５，１５を回転中心として回動自在になる。
【００２８】
なお、図９および図１０に示した実施形態では、鏡部材１２’が、２面鏡や、図２の鏡部材１２のような３面鏡であってもよい。また、ケース１３は、ディスプレーの側面や背面だけでなく、上面に取り付けることもできる。
【００２９】
図１１は、本発明の他の実施形態にかかる鏡付きパーソナルコンピュータを示す正面図である。同図に示すように、この実施形態では、パーソナルコンピュータ用の液晶型ディスプレー７１の両側面に鏡部材７２ａ，７２ｂが蝶番（鏡部材保持具）７３，７３により回動自在に保持されている。この形態では、パーソナルコンピュータを使用しないときには、鏡部材７２ａ，７２ｂをディスプレーの表示面（正面）側に閉じることができるので、外観を損なうことがなく、しかも表示面を保護することもできる。また、未使用時には、鏡部材７２ａ，７２ｂを表示面側ではなく、ディスプレー７１の側面または背面側に倒して折り畳んでもよい。
【００３０】
以上の実施形態では、鏡部材保持具により鏡部材を回動自在に保持する場合について説明したが、図１２に示すように、パーソナルコンピュータ用のディスプレー７１の上面や側面に鏡部材８１や鏡部材８２をボルト８３などにより固定するようにしてもよい。
【００３１】
なお、鏡部材に用いる鏡としては、ガラス板の裏面に銀やアルミニウムなどの金属膜を形成したものなどを使用することができる。また、ガラス板に代えて、例えばアクリル樹脂などからなる透明な樹脂板を用いることもできる。このように、基板として樹脂を用いることによって、鏡部材の厚さを薄くでき、鏡部材を軽量化することができる。さらに、ステンレスなどの金属の表面を鏡面加工したものを鏡として使用することもできる。
【００３２】
また、ガイドレールが設けられたケース内に収納され、前記ガイドレールに沿ってスライド自在に引き出し可能である鏡部材は、上記実施形態のようなパーソナルコンピュータ本体やディスプレーの他、例えば机の側面、壁面、ロッカーの内壁面などに取り付けて使用することもできる。これにより、これらの場所で簡単に身だしなみを確認することができ、しかも使用後は鏡部材をケースに収納しておくことができるので、嵩張ることがなく、取り付け場所の外観を損なうこともない。
【００３３】
【発明の効果】
本発明によれば、パーソナルコンピュータ本体の側面などに鏡部材が鏡部材保持具により回動自在に保持されているので、簡単に身だしなみを確認することができるという効果がある。また、使用後は鏡部材をパーソナルコンピュータ本体の側面などに倒しておくことにより、嵩張ることがなく、パーソナルコンピュータの外観を損なうこともない。
【００３４】
また、鏡部材が、折りたたみ自在の２面鏡または３面鏡であるときは、１面の鏡では見えにくい顔の横側や後側でも容易に確認することができる。
【図面の簡単な説明】
【図１】本発明の一実施形態にかかる鏡付きパーソナルコンピュータを示すものであって、パーソナルコンピュータ本体の側面に取り付けられたケースに鏡部材を収納した状態を示す斜視図である。
【図２】図１のパーソナルコンピュータ本体の側面に取り付けられたケースから鏡部材を引き出した状態を示す斜視図である。
【図３】（ａ）は、鏡部材をケースに収納した状態を示す側面図で、（ｂ）はその平面図である。
【図４】（ａ）は、鏡部材をケースから引き出した状態を示す側面図で、（ｂ）はその平面図である。
【図５】本発明において、ケースをパーソナルコンピュータ本体の側面に取り付ける他の手段を示す正面図である。
【図６】本発明の他の実施形態にかかる鏡付きパーソナルコンピュータを示すものであって、（ａ）はパーソナルコンピュータ本体の上面に取り付けられた鏡部材の未使用時の状態を示す斜視図であり、（ｂ）は鏡部材の使用時の状態を示す斜視図である。
【図７】本発明の他の実施形態にかかる鏡付きパーソナルコンピュータを示す正面図である。
【図８】図７の鏡付きパーソナルコンピュータを示す斜視図である。
【図９】（ａ）は本発明の他の実施形態にかかる鏡付きパーソナルコンピュータを示す正面図であり、（ｂ）はその平面図である。
【図１０】（ａ）は本発明の他の実施形態にかかる鏡付きパーソナルコンピュータを示す正面図であり、（ｂ）はその平面図である。
【図１１】本発明の他の実施形態にかかる鏡付きパーソナルコンピュータを示す正面図である。
【図１２】パーソナルコンピュータ用のディスプレーの上面および側面に鏡部材を取り付けた状態を示す正面図である。
【符号の説明】
１１・・・パーソナルコンピュータ本体、１２・・・鏡部材、１２’・・・鏡部材、１３・・・ケース（鏡部材保持具）、１４・・・ガイドレール、１４ａ・・・円弧部分、１４ｂ・・・挟幅部、１５・・・突起部、１６・・・蝶番、１７・・・蝶番、１８・・・取付具、３１・・・液晶型ディスプレー、３２・・・基台、４１・・・ブラウン管型ディスプレー、
【図１】
2004121494.tif 000003
【図２】
2004121494.tif 000004
【図３】
2004121494.tif 000005
【図４】
2004121494.tif 000006
【図５】
2004121494.tif 000007
【図６】
2004121494.tif 000008
【図７】
2004121494.tif 000009
【図８】
2004121494.tif 000010
【図９】
2004121494.tif 000011
【図１０】
2004121494.tif 000012
【図１１】
2004121494.tif 000013
【図１２】
2004121494.tif 000014